(57)【特許請求の範囲】
【請求項１】
動物の侵入からの保護対象である保護地と前記保護地の外側とを隔てるように間隔をあけて立設された複数の支柱と、両端部に連結構造が形成され前記支柱間に架け渡される線材と、前記線材に取り付けられる網体と、を備える動物侵入抑止柵の設置方法であって、
複数の前記支柱と、第１の前記線材の一端部を地面に固定する第１始点基礎とを地面に設置する工程と、
前記第１始点基礎に第１の前記線材の一端部の前記連結構造を連結する工程と、
第１の前記線材の複数の前記支柱への架け渡しと、地面への第２始点基礎の設置を行う工程と、
仮緊張治具を介して前記第２始点基礎と第１の前記線材とを連結し、前記仮緊張治具により第１の前記線材の仮緊張を行う工程と、
仮緊張が行われた状態で、地面への第１終点基礎の設置を行う工程と、
本緊張治具を介して前記第１終点基礎と第１の前記線材の他端部の前記連結構造を連結する工程と、
前記第２始点基礎及び第１の前記線材からの前記仮緊張治具の取り外しを行う工程と、
前記本緊張治具により第１の前記線材を本緊張する工程と、
を備えることを特徴とする動物侵入抑止柵の設置方法。
【請求項２】
前記第２始点基礎に第２の前記線材の一端部の前記連結構造を連結する工程と、
第１の前記線材が架け渡されている複数の前記支柱のうち１本以上の前記支柱及び第１の前記線材が架け渡されていない他の複数の前記支柱への第２の前記線材の架け渡しと、地面への第３始点基礎の設置を行う工程と、
前記仮緊張治具を介して前記第３始点基礎と第２の前記線材とを連結し、前記仮緊張治具により第２の前記線材の仮緊張を行う工程と、
仮緊張が行われた状態で、地面への第２終点基礎の設置を行う工程と、
本緊張治具を介して前記第２終点基礎と第２の前記線材の他端部の前記連結構造を連結する工程と、
前記第３始点基礎及び第２の前記線材からの前記仮緊張治具の取り外しを行う工程と、
前記本緊張治具により第２の前記線材を本緊張する工程と、
を備えることを特徴とする請求項１記載の動物侵入抑止柵の設置方法。
【請求項３】
前記線材の前記連結構造は前記線材がアイ加工されて形成されていることを特徴とする請求項１又は２記載の動物侵入抑止柵の設置方法。
【請求項４】
前記仮緊張治具は手動チェーンブロックであることを特徴とする請求項１乃至３の何れか１項記載の動物侵入抑止柵の設置方法。
【請求項５】
前記仮緊張治具は手動巻き上げ機であることを特徴とする請求項１乃至３の何れか１項記載の動物侵入抑止柵の設置方法。
【請求項６】
前記本緊張治具はターンバックルであることを特徴とする請求項１乃至５の何れか１項記載の動物侵入抑止柵の設置方法。
【請求項７】
前記本緊張治具は巻き取りリールであることを特徴とする請求項１乃至５の何れか１項記載の動物侵入抑止柵の設置方法。
【請求項８】
前記第１始点基礎、前記第１終点基礎、前記第２始点基礎、前記第２終点基礎及び前記本緊張治具への前記連結構造の固定は、シャックルを介して行われることを特徴とする請求項２記載の動物侵入抑止柵の設置方法。
【発明の詳細な説明】
【技術分野】
【０００１】
本発明は、動物が鉄道や道路、農地や林地等に侵入することを抑止する動物侵入抑止柵の設置方法に関する。
【背景技術】
【０００２】
近年、シカ科やイノシシ科等の野生動物が個体数を増やしており、この生息域を横断するように設けられた鉄道や道路、農地や林地等が設けられている敷地（以下「保護地」という。）に野生動物が侵入し、車両と衝突する事故や、農作物や植林の食害が頻繁に発生し問題となっている。
【０００３】
こうした問題に対応するため、保護地の周囲に動物侵入抑止柵を設置することが行われている。動物侵入抑止柵は、一般的に金属製の支柱と、支柱間に設けられた金属製又は樹脂製の網を備えて構成されていて、野生動物が保護地に入り込むのを防止する機能を有している（例えば特許文献１参照）。
【０００４】
こうした従来の動物侵入抑止柵の設置工事は、重機を使用して行われていた。また、従来の動物侵入抑止柵の設置工事においては、実際の設置作業の際に部材のサイズが合わない場合等には、作業現場において部材の加工が行われ、適切な状態にした後作業が行われていた。
【先行技術文献】
【特許文献】
【０００５】
【特許文献１】特開２０１１−８７４９５号公報
【発明の概要】
【発明が解決しようとする課題】
【０００６】
しかし、従来の動物侵入抑止柵の設置工事では重機の使用を前提にしているため、山奥等の重機を搬入できない場所において設置を行うことは困難であった。
【０００７】
また、このような作業が困難である場所の他、鉄道の沿線等、施工可能な時間帯が限られる個所においては作業現場における部材の加工を必要とせず、短い施工時間で迅速に設置できることが好ましい。
【０００８】
更に、鉄道の沿線に敷設される場合には、鉄道の沿線おける工事では安全の観点から作業員同士が５０ｍ以上離れて作業することが求められているため、作業者の集団がそれぞれ５０ｍ以上離れることなく一方向に移動しながら設置の各工程を行えることが好ましい。
【０００９】
そこで本発明は上述した問題点に鑑みて案出されたものであり、複数の支柱間に線材を架け渡して形成される動物侵入抑止柵の設置方法であって、重機を用いず人力で設置が可能であり、かつ現場における部材の加工を必要とせず、作業員が一方向に移動しながら迅速に設置をすることのできる動物侵入抑止柵の設置方法を提供することを目的とする。
【課題を解決するための手段】
【００１０】
本発明者は、上述した課題を解決するために、複数の支柱間に線材を架け渡して形成される動物侵入抑止柵の設置方法であって、重機を用いず人力で設置が可能であり、かつ現場における部材の加工を必要とせず、作業員が一方向に移動しながら迅速に設置をすることのできる動物侵入抑止柵の設置方法を発明した。
【００１１】
第１発明に係る動物侵入抑止柵の設置方法は、動物の侵入からの保護対象である保護地と前記保護地の外側とを隔てるように間隔をあけて立設された複数の支柱と、両端部に連結構造が形成され前記支柱間に架け渡される線材と、前記線材に取り付けられる網体と、を備える動物侵入抑止柵の設置方法であって、複数の前記支柱と、第１の前記線材の一端部を地面に固定する第１始点基礎とを地面に設置する工程と、前記第１始点基礎に第１の前記線材の一端部の前記連結構造を連結する工程と、第１の前記線材の複数の前記支柱への架け渡しと、地面への第２始点基礎の設置を行う工程と、仮緊張治具を介して前記第２始点基礎と第１の前記線材とを連結し、前記仮緊張治具により第１の前記線材の仮緊張を行う工程と、仮緊張が行われた状態で、地面への第１終点基礎の設置を行う工程と、本緊張治具を介して前記第１終点基礎と第１の前記線材の他端部の前記連結構造を連結する工程と、前記第２始点基礎及び第１の前記線材からの前記仮緊張治具の取り外しを行う工程と、前記本緊張治具により第１の前記線材を本緊張する工程と、を備えることを特徴とする。
【００１２】
第２発明に係る動物侵入抑止柵の設置方法は、第１発明において、前記第２始点基礎に第２の前記線材の一端部の前記連結構造を連結する工程と、第１の前記線材が架け渡されている複数の前記支柱のうち１本以上の前記支柱及び第１の前記線材が架け渡されていない他の複数の前記支柱への第２の前記線材の架け渡しと、地面への第３始点基礎の設置を行う工程と、前記仮緊張治具を介して前記第３始点基礎と第２の前記線材とを連結し、前記仮緊張治具により第２の前記線材の仮緊張を行う工程と、仮緊張が行われた状態で、地面への第２終点基礎の設置を行う工程と、本緊張治具を介して前記第２終点基礎と第２の前記線材の他端部の前記連結構造を連結する工程と、前記第３始点基礎及び第２の前記線材からの前記仮緊張治具の取り外しを行う工程と、前記本緊張治具により第２の前記線材を本緊張する工程と、を備えることを特徴とする。
【００１３】
第３発明に係る動物侵入抑止柵の設置方法は、第１発明又は第２発明において、前記線材の前記連結構造は前記線材がアイ加工されて形成されていることを特徴とする。
【００１４】
第４発明に係る動物侵入抑止柵の設置方法は、第１発明乃至第３発明の何れか１つにおいて、前記仮緊張治具は手動チェーンブロックであることを特徴とする。
【００１５】
第５発明に係る動物侵入抑止柵の設置方法は、第１発明乃至第３発明の何れか１つにおいて、前記仮緊張治具は手動巻き上げ機であることを特徴とする。
【００１６】
第６発明に係る動物侵入抑止柵の設置方法は、第１発明乃至第５発明の何れか１つにおいて、前記本緊張治具はターンバックルであることを特徴とする。
【００１７】
第７発明に係る動物侵入抑止柵の設置方法は、第１発明乃至第５発明の何れか１つにおいて、前記本緊張治具は巻き取りリールであることを特徴とする。
【００１８】
第８発明に係る動物侵入抑止柵の設置方法は、第２発明において、前記第１始点基礎、前記第１終点基礎、前記第２始点基礎、前記第２終点基礎及び前記本緊張治具への前記連結構造の固定は、シャックルを介して行われることを特徴とする。
【発明の効果】
【００１９】
上述した構成からなる本発明によれば、重機を用いず人力で設置が可能であり、かつ現場における部材の加工を必要とせず、作業員が一方向に移動しながら迅速に設置をすることができる。
【図面の簡単な説明】
【００２０】
【図１】実施形態に係る動物侵入抑止柵が設置されている状態を示す斜視図である。
【図２】実施形態に係る動物侵入抑止柵を示す斜視図である。
【図３】実施形態に係る動物侵入抑止柵を示す側面図である。
【図４】動物侵入抑止柵を構成する支柱を示す斜視図である。
【図５】図４の支柱の上部拡大斜視図である。
【図６】図４の支柱の下部拡大斜視図である。
【図７】図４の支柱を構成する支柱本体を示す斜視図である。
【図８】図７の支柱本体の側面図である。
【図９】図４の支柱を構成する支柱カバーを示す斜視図である。
【図１０】図９の支柱カバーの側面図である。
【図１１】支柱本体にロープが掛け渡される状態を示す部分拡大斜視図である。
【図１２】ロープが掛け渡された支柱本体に支柱カバーが当接した状態を示す部分拡大斜視図である。
【図１３】図１２の状態から更にボルトとナットによる固定が行われた状態を示す部分拡大斜視図である。
【図１４】ロープの端部が始点基礎に固定される態様を示す正面図である。
【図１５】始点基礎の構成を示す正面図である。
【図１６】シャックルを示す斜視図である。
【図１７】ロープの端部が終点基礎に固定される態様を示す正面図である。
【図１８】終点基礎の構成を示す斜視図である。
【図１９】動物侵入抑止柵の亀甲金網の下端部を巻き上げた状態を示す斜視図である。
【図２０】動物侵入抑止柵の亀甲金網の下端部を巻き上げた状態を示す正面図である。
【図２１】動物侵入抑止柵の亀甲金網の下端部を巻き上げた状態を示す側面図である。
【図２２】動物侵入抑止柵の特定の亀甲金網について全体を巻き上げ出入口を形成した状態を示す斜視図である。
【図２３】動物侵入抑止柵の特定の亀甲金網について全体を巻き上げ出入口を形成した状態を示す正面図である。
【図２４】動物侵入抑止柵の特定の亀甲金網について全体を巻き上げ出入口を形成した状態を示す側面図である。
【図２５】複数の支柱本体と第１始点基礎とが地面に設置された状態を示す概略正面図である。
【図２６】第１始点基礎に第１のロープの一端部の連結構造が連結されるとともに、第１のロープが支柱本体に架け渡された状態を示す概略正面図である。
【図２７】第２始点基礎が設置されるとともに第２始点基礎と第１のロープの他端部側とが手動チェーンブロックを介して連結された状態を示す概略正面図である。
【図２８】第１のロープが手動チェーンブロックにより仮緊張された状態を示す概略正面図である。
【図２９】仮緊張が行われた状態で更に他の支柱への第１の線材の架け渡しと、地面への第１終点基礎の設置が行われた状態を示す概略正面図である。
【図３０】ターンバックルを介して第１終点基礎と第１の線材の他の連結構造を連結した状態を示す概略正面図である。
【図３１】第２始点基礎及び第１の線材からの手動チェーンブロックの取り外しが行われた状態を示す概略正面図である。
【図３２】ターンバックルにより第１の線材を本緊張した状態を示す概略正面図である。
【図３３】第２始点基礎に第２のロープの一端部の連結構造が連結されるとともに、第２のロープが支柱本体に架け渡された状態を示す概略正面図である。
【図３４】複数のロープが１本の支柱に架け渡された状態を示す斜視図である。
【図３５】全ての支柱本体にロープが架け渡され本緊張された状態を示す概略正面図である。
【図３６】図３５の状態の概略平面図である。
【図３７】本実施形態に係る動物侵入抑止柵の対象動物の一例であるイノシシを示す図である。
【図３８】本実施形態に係る動物侵入抑止柵の対象動物の一例であるシカを示す図である。
【図３９】図３８のシカの頭部の各箇所の長さを示した図である。
【図４０】実施形態に係る動物侵入抑止柵による保護地へのシカの侵入抑止効果と保護地からの脱出の容易さを説明する図である。
【発明を実施するための形態】
【００２１】
以下、本発明の実施形態に係る動物侵入抑止柵の設置方法について詳細に説明する。
【００２２】
図１は、実施形態に係る動物侵入抑止柵１が設置されている状態を示す斜視図である。
【００２３】
動物侵入抑止柵１は、図１に示すように、野生動物の侵入から保護する対象となる鉄道や道路、農地や林地が設けられている保護地（−Ｘ方向）と、保護地以外の敷地（＋Ｘ方向）とを隔てるために用いられている。なお、上記±Ｘ方向の他、動物侵入抑止柵１の延展方向を±Ｙ方向（特に図１紙面左方向を便宜的に＋Ｙ方向とする）、地面Ｇに対して垂直な方向であって動物侵入抑止柵１が立設される方向を＋Ｚ方向とする。
【００２４】
野生動物は、例えば、シカ科では、特にシカ属のニホンジカに分類される、エゾシカ、ホンシュウジカ、キュウシュウジカ、マゲシカ、ヤクシカ、ケラマジカ、ツシマジカ等が該当する。また、ウシ科では、特にカモシカ属に分類されるニホンカモシカ等やウシ属に分類される各種ウシ等が該当する。更に、雑食性の動物である、イノシシ科のニホンイノシシやリュウキュウイノシシ等も該当する。
【００２５】
保護地は、例えば鉄道や道路の場合、列車の通過する線路や自動車が通過する道路等を有する敷地を想定している。また、農地や林地の場合、農作物の作付けや植林が施された敷地を想定している。このため、保護地は、動物侵入抑止柵１を境界にして線路や自動車用道路等の直線的に延長された敷地、農作物が作付けされた畑や植林が施された敷地である。
【００２６】
保護地以外の敷地は、動物侵入抑止柵１を境界にして線路や自動車用道路、畑や植林を有する保護地と反対側に位置する敷地である。保護地以外の敷地は、例えば、野生動物の生息地を想定している。しかし、これに限定されることなく、保護地位外の敷地は、動物侵入抑止柵１を境界にして保護地以外の敷地を全て含むものとする。
【００２７】
図２は、実施形態に係る動物侵入抑止柵１を示す斜視図である。図３は、実施形態に係る動物侵入抑止柵１を示す側面図である。
【００２８】
動物侵入抑止柵１は、間隔をあけて配置された支柱１１と、これらの支柱１１に架け渡された３本の樹脂被覆の繊維であるロープ１２ａ、１２ｂ、１２ｃと、中間部及び最下部にあるロープ１２ｂ、１２ｃに取り付けられた網体である亀甲金網１３と、亀甲金網１３をロープ１２ｂ、１２ｃに連結する第１連結コイル３１と、隣接する亀甲金網１３同士を連結する第２連結コイル３２とを主な構成部材として構成されている。この動物侵入抑止柵１は、傾斜地である地面Ｇに対して垂直に設けられている。
【００２９】
上述した動物侵入抑止柵１において、地面Ｇから中央部にあるロープ１２ｂまでの高さをＨ１、最下部にあるロープ１２ｃまでの高さをＨ２、最上部にあるロープ１２ａまでの高さをＨ３とする。また、ロープ１２ａとロープ１２ｂとの間の距離をＨ４とする。
【００３０】
図４は、実施形態に係る動物侵入抑止柵１を構成する支柱１１を示す斜視図である。図５は、図４の支柱１１の上部拡大斜視図である。図６は、図４の支柱１１の下部拡大斜視図である。
【００３１】
支柱１１は、地面に立設される支柱本体１１１と、支柱本体１１１の下部に連続して設けられた基礎杭１１２と、支柱本体１１１に取り付け固定される支柱カバー１１３とにより主に構成されている。支柱１１が地面Ｇに立設される際には、保護地の外側（＋Ｘ方向）に支柱カバー１１３を向けた状態で立設される。
【００３２】
図７は、図４の支柱を構成する支柱本体１１１を示す斜視図である。図８は、図７の支柱本体１１１の側面図である。
【００３３】
支柱本体１１１は、底部１１１ｇと、底部１１１ｇより垂直に立ち上がり互いに垂直となる位置関係で連続しているウェブ１１１ｅ及びフランジ１１１ｆとにより構成される断面Ｌ型の鋼材である。
【００３４】
底部１１１ｇは略正方形の板状部材であり、中心部分にはボルト締結用の孔部１１１ｄが設けられている。この底部１１１ｇには、地面Ｇに打設された基礎杭１１２の上部に設けられたボルト（不図示）が挿通され、底部１１１ｇ側からワッシャ（不図示）を介してナットＮ２が螺合されることにより底部１１１ｇと基礎杭１１２とが固定され、支柱１１の地面Ｇへの立設が行われる。この底部１１１ｇから垂直に立ち上がるようにして、ウェブ１１１ｅとフランジ１１１ｆとが、互いに垂直となるように設けられている。
【００３５】
ウェブ１１１ｅには、所定の間隔を空けて、実際に動物侵入抑止柵１が設置された状態における水平方向（−Ｘ方向）に伸展して設けられた水平切欠部１１１ａと、切欠部１１１ａに連続して鉛直方向（−Ｚ方向）に設けられた鉛直切欠部１１１ｂが形成されている。また、ウェブ１１１ｅには、支柱カバー１１３とのボルト締結用の孔部１１１ｃが設けられている。
【００３６】
水平切欠部１１１ａ及び鉛直切欠部１１１ｂの開口径は、ロープ１２ａ、１２ｂ、１２ｃを挿通可能な径となっている。
【００３７】
鉛直切欠部１１１ｂは、支柱本体１１１を傾斜させて地面Ｇに設置した状態でロープ１２ａ、１２ｂ、１２ｃを脱落させずに仮置きできる構成である。
【００３８】
そのため、地面Ｇに長い延長に渡り動物侵入抑止柵１を設置する際に、支柱カバー１１３の取り付けをそれぞれの支柱１１を設置する都度行うことなく、先行して多数の支柱本体１１１を地面Ｇに設置し、ロープ１２ａ、１２ｂ、１２ｃを鉛直切欠部１１１ｂに仮置きさせることができる。
【００３９】
これにより、その後で多数の支柱カバー１１３の取り付けを連続しておこなうことができ、斜面での施工性がより良好なものとなる。
【００４０】
また、鉛直切欠部１１１ｂは、支柱本体１１１を地面Ｇに立設して傾けた状態で、ロープ１２ａ、１２ｂ、１２ｃが脱落せず仮置きできる形状であればよい。そのため、本実施形態においては切欠きが鉛直方向に設けられていて鉛直切欠部１１１ｂとなっているが、本発明においてはこれに限らず、水平切欠部１１１ａに連続して鉛直方向以外の方向に延びる態様であってもよい。
【００４１】
フランジ１１１ｆは、底部１１１ｇ及びウェブ１１１ｅに対して垂直に設けられた長板形状の構成であり、ウェブ１１１ｅとともに支柱本体１１１に機械的強度を付与している。
【００４２】
動物侵入抑止柵１の設置場所である地面Ｇには、複数の基礎杭１１２が所定の間隔を空けて打設されている。基礎杭１１２は、円筒状の部材であり、その上部からはボルトが突出している。
【００４３】
この基礎杭１１２の上部から突出するボルトが支柱本体１１１の底部１１１ｇに形成されている孔部１１１ｄに挿入されるようにして、支柱本体１１１が地面に垂直に載置されている。支柱本体１１１は、水平切欠部１１１ａが地面Ｇの下方、すなわち保護地側と反対側に向くようにして載置されている。
【００４４】
基礎杭１１２と支柱本体１１１とのボルト締結は、支柱本体１１１の底部の孔部１１１ｇから突出している基礎杭１１２のボルトに対して、支柱本体１１１側からワッシャとナットとが嵌め込まれることで行われている。
【００４５】
図９は、図４の支柱を構成する支柱カバー１１３を示す斜視図である。図１０は、図９の支柱カバー１１３の側面図である。
【００４６】
支柱カバー１１３は、長板状のウェブ１１３ｅと、ウェブ１１３ｅに対して垂直に連続して設けられたフランジ１１３ｆにより構成される断面Ｌ型の鋼材である。
【００４７】
ウェブ１１３ｅには、矩形の切欠部１１３ａが所定の間隔をあけて複数設けられている。切欠部１１３ａの上下方向（±Ｚ方向）の幅は、支柱本体１１１のウェブ１１１ｅに形成された鉛直切欠部１１１ｂの長手方向の長さよりも短くなっていて、切欠部１１３ａ間の間隔は、鉛直切欠部１１１ｂ間の間隔と同一の間隔となっている。
【００４８】
また、ウェブ１１３ｅには、支柱本体１１１とのボルト締結に用いられる複数の孔部１１３ｃが設けられている。孔部１１３ｃ間の間隔は、支柱本体１１１のウェブ１１１ｅに設けられた孔部１１１ｃ間の間隔と同一のものとなっている。
【００４９】
フランジ１１３ｆはウェブ１１３ｅよりも幅が狭くなっている板状の部材である。
【００５０】
ロープ１２ａ、１２ｂ、１２ｃは、両端部が環状にアイ加工されることで、それぞれ両端部に環状の連結構造１２１ａ、１２１ｂ、１２１ｃが形成されている樹脂被覆の繊維ロープである。
【００５１】
図１１は、支柱本体１１１にロープ１２ａ、１２ｂ、１２ｃが掛け渡される状態を示す部分拡大斜視図である。図１２は、ロープが掛け渡された支柱本体に支柱カバーが当接した状態を示す部分拡大斜視図である。図１３は、図１２の状態から更にボルトとナットによる固定が行われた状態を示す部分拡大斜視図である。
【００５２】
本実施形態においては、３本のロープ１２ａ、１２ｂ、１２ｃが、複数の支柱１１の支柱本体１１１の水平切欠部１１１ａから鉛直切欠部１１１ｂに挿通され、支柱本体１１１間に架け渡されている。
【００５３】
ロープ１２ａ、１２ｂ、１２ｃに張力が加わり緊張した状態において、地面Ｇから見たロープ１２ｃの高さをＨ２、ロープ１２ｂの高さをＨ１、ロープ１２ａの高さをＨ３、ロープ１２ａ−１２ｂ間の距離をＨ４とする。
【００５４】
また、支柱本体１１１に架け渡されたロープ１２ａ、１２ｂ、１２ｃの脱落を防止するため、支柱本体１１１に支柱カバー１１３が取り付けられている。
【００５５】
この支柱カバー１１３の取り付けは、各支柱本体１１１に掛け渡されたロープ１２ａ、１２ｂ、１２ｃを支柱本体１１１と挟み込むように、地面Ｇの斜面下方側から支柱カバー１１３を当接させることで行われている。
【００５６】
支柱カバー１１３の支柱本体１１１への当接は、支柱カバー１１３の切欠部１１３ａにロープ１２ａ、１２ｂ、１２ｃが挿通されるようにして行われている。こうして、支柱本体１１１の鉛直切欠部１１１ｂと支柱カバー１１３の切欠部１１３ａにより、ロープ１２ａ、１２ｂ、１２ｃが把持された状態となっている。
【００５７】
また、この状態では、支柱本体１１１の孔部１１１ｃと支柱カバー１１３の孔部１１３ｃとが対向する位置にあり、これらの孔部１１１ｃ、１１３ｃが連通した状態となっている。
【００５８】
そして、図１３に示すように、この状態で支柱本体１１１と支柱カバー１１３とがボルト締結され固定される。
【００５９】
連通した状態にある支柱本体１１１の上下に形成されている２つの孔部１１１ｃとこれらに対向する位置にある支柱カバー１１３の孔部１１３ｃにそれぞれワッシャＷ１、Ｗ２を介してボルトＢ１、Ｂ２が挿通されている。そして、挿通されたボルトＢ１、Ｂ２にそれぞれナットＮ１、Ｎ２が螺合されて、支柱本体１１１と支柱カバー１１３との固定が行われている。
【００６０】
図１４は、ロープの端部が始点基礎に固定される態様を示す正面図である。図１５は、始点基礎の構成を示す正面図である。図１６は、シャックルを示す斜視図である。図１７は、ロープの端部が終点基礎に固定される態様を示す正面図である。図１８は、終点基礎の構成を示す斜視図である。
【００６１】
ロープ１２ａ、１２ｂ、１２ｃの一端部の連結構造１２１ａ、１２１ｂ、１２１ｃは、シャックル６１１を介して単一の始点基礎６１に固定されている。また、ロープ１２ａ、１２ｂ、１２ｃの他端部の連結構造１２１ａ、１２１ｂ、１２１ｃは、ターンバックル５を介してそれぞれ別個の終点基礎８に固定されている。
【００６２】
始点基礎６１は、ロープ１２ａ、１２ｂ、１２ｃの一端部を地面に固定するための部材である。始点基礎６１は金属よりなる部材であり、板状の基材６１３と、基材６１３から円環状に立設されている円環部６１２と、基材６１３を地面Ｇに固定する基礎杭６１５を備えて構成されている。
【００６３】
基材６１３は、長板状の部材であり、長手方向の両端部近傍にそれぞれ貫通孔６１３ａが形成されている。この貫通孔６１３ａは、基材６１３と基礎杭６１５との固定に用いられるボルト６１４ａを挿通可能な径を有している。
【００６４】
基礎杭６１５は金属製の部材であり、円筒状の本体部６１５ａと、本体部６１５ａの上部開放端部を覆うように取り付けられ中央部に貫通孔６１５ｃが形成されている端部板６１５ｂを備えて構成されている。貫通孔６１５ｃは、内周面にボルト６１４ａと螺合可能なねじ溝が形成されている。
【００６５】
こうした始点基礎６１の地面への設置は、基礎杭６１５を地面に打設した後、基材６１３をボルト６１４ａ及びワッシャ６１４ｂを用いて基礎杭６１５に固定することで行われる。
【００６６】
なお、始点基礎６１の設置位置は、動物侵入抑止柵１の延展方向に平行か、または保護地側となっている。これは、亀甲金網１３を保護地の外側から設置する際に妨げとならないようにするためである。
【００６７】
シャックル６１１は、環状部材同士の連結等に用いられる連結部材であり、シャックル本体６１１ａ及びボルト６１１ｄから形成されている。
【００６８】
シャックル本体６１１ａはＵ字状である。このシャックル本体６１１ａの両端部に挿通孔６１１ｂ、６１１ｃが形成されている。挿通孔６１１ｂは内周面にねじ溝が形成されている。挿通孔６１１ｃは挿通孔６１１ｂよりも大きな径を有していて、ボルト６１１ｄを挿通可能となっている。
【００６９】
ボルト６１１ｄは、一端部は作業者が把持可能なように形成されているとともに、他端部にはねじ部６１１ｅが形成されている。ねじ部６１１ｅは挿通孔６１１ｂの内周面のねじ溝と螺合可能になっている。
【００７０】
そして、ロープ１２ａ、１２ｂ、１２ｃを始点基礎６１の円環部６１２に固定する際には、シャックル本体６１１ａがその内部に円環部６１２及び連結構造１２１ａ、１２１ｂ、１２１ｃを取り込んだ状態でボルト６１１ｄが締め込まれる。これにより円環部６１２及び連結構造１２１ａ、１２１ｂ、１２１ｃがシャックル本体６１１ａ内部から離脱できなくなり、その結果円環部６１２と連結構造１２１ａ、１２１ｂ、１２１ｃが固定される。
【００７１】
終点基礎８は金属製の固定部材であり、地面に打設される基礎杭８２と、基礎杭８２に連続して形成され貫通孔８３を有する起立部８１とを備えている。貫通孔８３は、ターンバックル５の両端部に形成されているシャックル部５１のボルトを挿通可能な径を有している。
【００７２】
なお、終点基礎８の設置位置は保護地内部となっている。これは、亀甲金網１３を保護地の外側から設置する際に妨げとならないようにするためである。
【００７３】
ターンバックル５は本実施形態においてロープ１２ａ、１２ｂ、１２ｃを本緊張するための本緊張治具として用いられ、本体部５２と、本体部５２の両端にねじ構造により進退可能に螺合されたシャックル部５１が形成されている。
【００７４】
シャックル部５１は上述したシャックル６１１と同様に、切欠きを有する円環部と、当該切欠きを閉鎖する取り外し可能なボルトを備えて構成されている。
【００７５】
このターンバックル５は、本体部５２を所定の方向に回転すると、その両端部に螺合されたシャックル部５１がともに突出又は退行をするように形成されている。すなわち、本体部５２を回転することで、ターンバックル５全体の長さを調節することができるようになっている。
【００７６】
ターンバックル５の一方のシャックル部５１は、ロープ１２ａ（１２ｂ、１２ｃ）の他端部の連結構造１２１ａ（１２１ｂ、１２１ｃ）に連結されている。そして他方のシャックル部５１は、終点基礎８の起立部８１に連結されている。
【００７７】
そして、この連結状態においてターンバックル５の本体部５２をターンバックル５の長さが短くなるように回転させることで、ロープ１２ａ（１２ｂ、１２ｃ）の本緊張が実現されている。
【００７８】
なお、本実施形態においてはターンバックル５を用いてロープ１２ａ、１２ｂ、１２ｃの端部の固定を行っているが、本発明においてはこれに限らず、他の形状のターンバックル５を用いてもよく、また、ターンバックル５以外の、巻き取りリール等の任意の本緊張治具を用いて固定を行ってもよい。
【００７９】
緊張されたロープ１２ａ、１２ｂ、１２ｃには、亀甲金網１３が取り付けられている。
【００８０】
亀甲金網１３は、鋼線である線材をねじり合わせて六角形の網目を形成した網体であり、ビニール被覆線、亜鉛めっき鉄線、ステンレス線等を用いて形成されている。亀甲金網１３は、工事の際に取り扱いが容易であり、鋼線の一部が破断しても裂け目が全体に広がることがないという利点がある。
【００８１】
亀甲金網１３は、線材同士の撚り目を水平方向（地面Ｇと平行な方向）に向けて配置されている。亀甲金網１３は、この撚り目が回転軸となることで、網目同士が所定の範囲回動することができるため、亀甲金網１３を巻いた状態とすることができる。
【００８２】
亀甲金網１３は、第１連結コイル３１を用いてロープ１２ｂ、１２ｃに取り付けられている。また、隣接する亀甲金網１３同士は、互いの幅方向（±Ｙ方向）の端部にある１マス分の網目を重ね合わせて配置されている。そして、隣接する亀甲金網１３は、ロープ１２ｂ、１２ｃ間であってこの重ね合わさせている網目の部分において、第２連結コイル３２により互いに固定されている。
【００８３】
亀甲金網１３の幅及び用いられる枚数は適宜調節することができる。本実施形態においては、支柱１１間にそれぞれ支柱１１間の距離の３分の１よりもやや広い幅を有する３枚の亀甲金網が、そのうち１枚が支柱１１に重なるようにしつつ、それぞれの端部において互いに１マス分ずつ網目を重ね合わせた状態で、隣接する２つの支柱１１間に隙間なく架け渡されている。
【００８４】
亀甲金網１３の縦方向の長さは、ロープ１２ｂ及びロープ１２ｃに取り付けた状態において、亀甲金網１３がロープ１２ｃから更に延長し、地面Ｇに沿い広がる程度の長さとなっている。
【００８５】
また、亀甲金網１３の１枚当たりの重量は、作業者が１人で持ち上げられる程度の重量（目安として３０ｋｇ以下）となっている。このような重量とすることで、動物侵入抑止柵１の設置作業を少人数で容易かつ効率的に行うことができる。
【００８６】
なお、本実施形態においては亀甲金網１３が用いられているが、本発明においてはこれに限らず、綿や樹脂製の紐より形成される網体等、作業者が一人でも持ち運び及び設置作業ができる程度に軽量で、かつ上方（＋Ｚ方向）に巻き上げられるものであれば好適に用いることができる。
【００８７】
上述した構成を有する動物侵入抑止柵１は、除草作業時に容易に作業スペースを確保し亀甲金網１３の損傷を防止することができる。
【００８８】
図１９は、動物侵入抑止柵の亀甲金網の下端部を巻き上げた状態を示す斜視図である。図２０は、動物侵入抑止柵の亀甲金網の下端部を巻き上げた状態を示す正面図である。図２１は、動物侵入抑止柵の亀甲金網の下端部を巻き上げた状態を示す側面図である。
【００８９】
動物侵入抑止柵１の亀甲金網１３は、上述したように撚り目を中心として所定の範囲の回動可能であるため、全体として撚り目を軸として巻いた状態とすることができる。
【００９０】
そのため、図１９〜図２１に示すように、ロープ１２ｃを緊張させたまま亀甲金網１３のロープ１２ｃよりも下側（−Ｚ方向）に位置する部分を巻き上げることができ、亀甲金網１３の下方に高さＨ２のスペースを確保することができる。この高さＨ２は、１００ｍｍ以上３００ｍｍ以下となっている。
【００９１】
巻き上げた亀甲金網１３の端部は、係止部材７を用いて上方の網目に固定される。係止部材７としては、クリップやカラビナ等、取り付けと取り外しを容易に行うことのできるものであれば種々のものを用いることができる。これにより亀甲金網１３を巻き上げた状態を保つことができる。
【００９２】
亀甲金網１３の下部に形成されたスペースの高さＨ２が１００ｍｍ以上あることで、除草作業時に草刈機の回転刃が亀甲金網１３に接触し亀甲金網１３が破損することを効果的に防止することができる。
【００９３】
また、高さＨ２が３００ｍｍ以下であることで、野生動物としてのイノシシ２’（図３６参照）の侵入を効果的に防止することができる。このイノシシ２’の侵入防止効果についての詳細は図３６を用いて後述する。
【００９４】
次に、動物侵入抑止柵１の任意の個所において作業者の通用スペースを確保できる効果について説明する。
【００９５】
図２２は、動物侵入抑止柵１の特定の亀甲金網１３について全体を巻き上げ、出入口を形成した状態を示す斜視図である。図２３は、動物侵入抑止柵１の特定の亀甲金網１３について全体を巻き上げ、出入口を形成した状態を示す正面図である。図２４は、動物侵入抑止柵１の特定の亀甲金網１３について全体を巻き上げ、出入口を形成した状態を示す側面図である。
【００９６】
図２２〜図２４に示すように、動物侵入抑止柵１の亀甲金網１３は、図１９〜図２１に示す状態よりも更に巻き上げられ、高さＨ１の位置で固定されている。
【００９７】
上述したように、支柱１１間に互いに端部を重ね合わせた状態で取り付けられている３枚の亀甲金網１３のうち、中央にある亀甲金網１３は、他の２つの亀甲金網よりも保護地の外部に位置している。そのため、図２２〜図２４に示すように、ロープ１２ａ、１２ｂ、１２ｃの緊張状態を保ちつつ、中央にある亀甲金網１３のみを保護地の外側に向けて巻き上げることができる。
【００９８】
このとき、巻き上げられる対象となる亀甲金網１３をロープ１２ｃに固定しているコイル部材３１が取り外されるが、この取り外しはコイル部材３１を回転させるのみで容易に行うことができる。また、亀甲金網１３同士の連結に用いられているコイル部材３２も、回転させるのみで容易に亀甲金網１３から取り外される。
【００９９】
そして、中央にある亀甲金網１３が高さＨ１に巻き上げられた状態で、その端部が係止部材７を用いてロープ１２ａに固定されることで、当該巻き上げられた状態が維持される。この高さＨ１は、作業者が通行可能な高さとなっているため、亀甲金網１３が巻き上げられた個所は、作業者の通用スペースとすることができる。
【０１００】
また、作業者による作業が終了し、動物侵入抑止柵１を図１に示す当初の状態に戻す場合には、まず係止部材７が取り外され、亀甲金網１３が地面Ｇまで下ろされる。
【０１０１】
そして、下ろした亀甲金網１３をコイル部材３１を用いてロープ１２ｃに連結固定するとともに、隣接する亀甲金網１３間をコイル部材３２で再度連結される。このとき、コイル部材３２が亀甲金網１３から脱落しないように、コイル部材３２の上下に収縮する弾性力により亀甲金網１３のマス目を保持する。
【０１０２】
このように、動物侵入抑止柵１は、ロープ１２ａ、１２ｂ、１２ｃの緊張状態を維持したまま作業者の通用スペースを容易かつ迅速に形成することができるものであり、作業終了後にも容易かつ迅速に当初状態に戻すことができる。
【０１０３】
次に、上述した動物侵入抑止柵１の設置方法について説明する。なお、以下の説明において各部材について第１の、第２の、…、第ｎの（ｎは３以上の整数）というときには、第１始点基礎６１から近い位置に設けられているものから順に第１の、第２の、…、第ｎの、というものとする。
【０１０４】
図２５は、複数の支柱本体と第１始点基礎とが地面に設置された状態を示す概略正面図である。
【０１０５】
まず、動物侵入抑止柵１の設置場所である地面Ｇに所定の間隔を空けて基礎杭１１２が打設されるとともに、基礎杭１１２に支柱本体１１１がボルト締結により固定される。
【０１０６】
このとき、ロープ１２ａ、１２ｂ、１２ｃを架け渡す前の状態であるため、支柱カバー１１３は取り付けられていない。支柱本体１１１に対する支柱カバー１１３の取り付けは、支柱本体１１１に対してロープ１２ａ、１２ｂ、１２ｃが架け渡された後であれば任意のタイミングで行うことができる。
【０１０７】
また、地面Ｇに対する始点基礎６１の打設も行われる。
【０１０８】
図２６は、第１始点基礎に第１のロープの一端部の連結構造が連結されるとともに、第１のロープが支柱本体に架け渡された状態を示す概略正面図である。
【０１０９】
次に、第１のロープとして、ロープ１２ａ、１２ｂ、１２ｃの一端部にある連結構造１２１ａ、１２１ｂ、１２１ｃが、シャックル６１１を介して始点基礎６１の円環部６１２に固定されるとともに、ロープ１２ａ、１２ｂ、１２ｃが支柱本体１１１に架け渡される。
【０１１０】
なお、以下の説明では便宜のため第１のロープとしてロープ１２ａの取り付けについてのみ説明がされているが、ロープ１２ｂ、１２ｃの取り付けについても同様に行われるためここではロープ１２ｂ、１２ｃについての詳細な説明は省略されている。ロープ１２ｂ、１２ｃの取り付けは、ロープ１２ａの取り付けの最中に行われてもよく、あるいはロープ１２ａの取り付けが完了した後に順次ロープ１２ｂ、１２ｃの取り付けを行ってもよい。
【０１１１】
図１１で示したように、複数の支柱１１の支柱本体１１１の水平切欠部１１１ａから鉛直切欠部１１１ｂにロープ１２ａが挿通されることで、支柱本体１１１へのロープ１２ａの架け渡しが行われる。
【０１１２】
また、ロープ１２ａの架け渡しとともに、地面Ｇへの第２始点基礎６１’の設置も行われる（図２７参照）。第２始点基礎６１’は始点基礎６１と同様の構成を備えた部材である。
【０１１３】
なお、第２始点基礎６１’の設置タイミングは、本実施形態においては支柱本体１１１に対するロープ１２ａの架け渡しの最中に行われるが、本発明においてはこれに限らず、ロープ１２ａの架け渡しが全て完了した後に行われてもよい。
【０１１４】
図２７は、第２始点基礎が設置されるとともに第２始点基礎と第１のロープの他端部側とが手動チェーンブロックを介して連結された状態を示す概略正面図である。
【０１１５】
次に、第２始点基礎６１’に、ロープ１２ａの仮緊張を行うための仮緊張治具として、手動チェーンブロック６５が取り付けられる。この手動チェーンブロック６５としては一般に市販されている、人力で持ち運び可能な（目安として重量が３０ｋｇ以下の）種々の手動チェーンブロックを用いることができる。
【０１１６】
また、ロープ１２ａの他端部側、すなわち始点基礎６１に固定されていない側の端部近傍もこの手動チェーンブロック６５に固定される。
【０１１７】
図２８は、第１のロープが手動チェーンブロックにより仮緊張された状態を示す概略正面図である。
【０１１８】
手動チェーンブロック６５にロープ１２ａと第２始点基礎６１’とが固定された状態で、作業者の手により手動チェーンブロック６５が操作されることで、ロープ１２ａが第２始点基礎６１’に向けて引っ張られ、ロープ１２ａが仮緊張される。ロープ１２ｂ、１２ｃについても同様に仮緊張が行われる。なお、本実施形態においては手動チェーンブロック６５により仮緊張が行われているが、本発明においてはこれに限らず、手動巻き上げ機で仮緊張を行ってもよい。
【０１１９】
図２９は、仮緊張が行われた状態で更に他の支柱への第１の線材の架け渡しと、地面への第１終点基礎の設置が行われた状態を示す概略正面図である。
【０１２０】
図２９に示すように、手動チェーンブロック６５による仮緊張が行われた状態で、手動チェーンブロック６５よりも先にある、すなわち仮緊張が行われていない部分に相当するロープ１２ａの他端部側が、更に図２９に示す第２始点基礎６１’よりも先にある２本の支柱本体１１１に架け渡される。
【０１２１】
この２本の支柱本体１１１には、後述するように、ロープ１２ａとともに、次に架け渡されるロープ１２ａ’が重複して架け渡されることになる。
【０１２２】
なお、重複してロープが架け渡される支柱本体１１１の本数は、本実施形態においては２本であるが、本発明においてはこれに限らず、１本又は３本以上であってもよい。重複してロープが架け渡される支柱本体１１１の支柱が多いほど、１本の支柱本体１１１に加わるロープからの負荷を分散することができ、動物侵入抑止柵１の機械的強度を増すことができる。
【０１２３】
図３０は、ターンバックルを介して第１終点基礎と第１の線材の他の連結構造を連結した状態を示す概略正面図である。
【０１２４】
図３０に示すように、手動チェーンブロック６５が中途部分に取り付けられ仮緊張が行われたままの状態で、ロープ１２ａの他端部がターンバックル５を介して地面に打設された終点基礎８に固定される。
【０１２５】
具体的には、ターンバックル５の一端部に設けられたシャックル部５１が、ロープ１２ａの端部に形成されている連結構造１２１ａに固定されるとともに、他端部に設けられたシャックル部５１が、終点基礎８の起立部８１に固定される。
【０１２６】
上述した工程を経て支柱本体１１１にロープ１２ａが掛け渡された状態が形成される。
図３１は、第２始点基礎及び第１の線材からの手動チェーンブロックの取り外しが行われた状態を示す概略正面図である。
【０１２７】
図３０に示す状態から手動チェーンブロック６５を取り外すと、手動チェーンブロック６５による緊張が解除される。そして、ロープ１２ａの手動チェーンブロック６５側に屈曲していた部分がたわみとなり、その分緊張が緩んだ状態となる。
【０１２８】
そこで、以下に説明するように、第１終点基礎８に連結されたターンバックル５によりこのたわみの分を再緊張し、本緊張が行われる。
【０１２９】
図３２は、終点基礎８に連結されたターンバックル５によりロープ１２ａが本緊張された状態を示す概略正面図である。
【０１３０】
ターンバックル５の本体部５２をターンバックル５の長さが短くなるように回転させることで、ロープ１２ａの本緊張が行われる。
【０１３１】
図３３は、第２始点基礎６１’に他のロープの一端部の連結構造が連結されるとともに、他のロープが支柱本体に架け渡された状態を示す概略正面図である。
【０１３２】
本実施形態に係る動物侵入抑止柵１では、上段、中段、下段の３つの高さについて、それぞれ始点基礎６１側から順に複数のロープが架け渡されていく。例えば上段については、図３３に示すように、最初に始点基礎６１側にロープ１２ａが架け渡された後、次にロープ１２ａ’が架け渡される。こうして水平方向において支柱１１の本数及びロープを架け渡す数を調節することにより、動物侵入抑止柵１の総延長を調節することが可能となる。
【０１３３】
ロープ１２ａ’はロープ１２ａと同様の構成を備えていて、ロープ１２ａ’の架け渡しもロープ１２ａと同様にして行われる。具体的には、ロープ１２ａ’の一端部が第２始点基礎６１’に固定されるとともに、支柱本体１１１に架け渡されていく。
【０１３４】
このとき、先に架け渡しと本緊張が終了したロープ１２ａが架け渡されている支柱本体１１１のうち、始点基礎６１から見て遠い位置にある２本の支柱本体に対して、次のロープ１２ａ’が重複して架け渡される。図３４は、複数のロープ１２ａ、１２ａ’が１本の支柱に架け渡された状態を示す斜視図である。
【０１３５】
本発明においては重複してロープが架け渡される支柱本体１１１の本数は１本以上であれば任意に設定することが可能であるが、本数が多いほどロープから受ける張力が分散されるため、支柱本体１１１の当該張力による破損を効果的に防止することができる。
【０１３６】
一方でロープが重複して架け渡される支柱本体１１１の本数が増加すると、その分動物侵入抑止柵１の設置に必要なロープの本数が増加する。
【０１３７】
そのため、ロープが重複して架け渡される支柱本体１１１の本数は適宜調節され、本実施形態においては、当該本数は２本とされている。
【０１３８】
そして、新たに架け渡されたロープ１２ａ’についても上述したロープ１２ａと同様に仮緊張が行われた後、本緊張が行われる。
【０１３９】
仮緊張時を行う際には、ロープ１２ａの仮緊張と同様に、予め設置された、始点基礎６１と同様の構成を有する第３始点基礎が地面に設置される。そして、この第３始点基礎と手動チェーンブロック６５とを用いて仮緊張が行われる。
【０１４０】
また、本緊張を行う際には、ロープ１２ａの本緊張と同様に、予め設置された、終点基礎８と同様の構成を有する終点基礎８’’が地面に設置される。そして、この終点基礎８’’とターンバックル５とを用いて本緊張が行われる。
【０１４１】
図３５は、全ての支柱本体１１１にロープ１２ａが架け渡され本緊張された状態を示す概略正面図である。図３６は、図３５の状態の概略平面図である。
【０１４２】
本実施形態に係る動物侵入抑止柵１では、その両端部について同様の端部処理、すなわち、同様に始点基礎によりロープが地面に固定されるようになっている。
【０１４３】
そのため、動物侵入抑止柵の始点基礎６１側と反対側の端部についても、図３５及び図３６に示すように、始点基礎６１’’によりロープ１２ａ’’（始点基礎６１側から見て最も遠方にある上段のロープ）の地面への固定が行われている。中段、下段の各ロープについても同様である。
【０１４４】
この始点基礎６１’’によるロープ１２ａ’’の地面への固定は、設置される方向が逆ではあるものの、始点基礎６１によるロープ１２ａの固定と同様にして行われる。
【０１４５】
そして、ロープ１２ａ’’の支柱本体１１１への架け渡し、仮緊張及び本緊張も、上述したロープ１２ａ、１２ａ’と同様にして行われる。
【０１４６】
すなわち、仮緊張は予め地面に設置された始点基礎６１’’と手動チェーンブロック６５を用いて行われるとともに、本緊張は予め地面に設置された終点基礎８’’とターンバックル５とを用いて行われる。
【０１４７】
なお、ロープ１２ａ’’の仮緊張時に用いられる始点基礎は、上述した他の始点基礎と異なり、その後に他のロープが固定されることはなく、単にロープ１２ａ’’の仮緊張にのみ用いられるものである。そのため、ロープ１２ａ’’の仮緊張が終了した後には、当該仮緊張に用いられた始点基礎はそのまま放置されるか、あるいは撤去されてもよい。
【０１４８】
そして上段、中段、下段のロープが架け渡され本緊張が終了したら、次に支柱１１間に掛け渡されたロープ１２ａ、１２ｂ、１２ｃのうち、中段にあるロープ１２ｂ及び最下部にあるロープ１２ｃ（及びこれらの次以降のスパンにおける中段、下段の各ロープ）に、亀甲金網１３が取り付けられる。
【０１４９】
この亀甲金網１３の取り付けは、各スパンにおける上段、中段、下段のロープが架け渡され本緊張が終了した後であれば任意のタイミングで行うことができる。そのため、例えば各スパン毎にロープの架け渡しと本緊張が終了し次第亀甲金網１３を取り付けてもよく、あるいは全スパンについてロープの架け渡しと本緊張が終了した後、全スパンについて亀甲金網１３の取り付けを行ってもよい。
【０１５０】
本実施形態においては、全スパンについて上段、中段、下段のロープが架け渡され、支柱カバー１１３が取り付けられて当該ロープが脱落しない状態となった後、隣接する支柱１１間についてそれぞれ亀甲金網１３が、端部の網目を１マス分ずつ重ね合わせつつ取り付けられる。
【０１５１】
このとき、連続する複数枚の亀甲金網１３のうち、支柱１１に重ならない部分に位置する亀甲金網１３は、隣接する他の２枚の亀甲金網１３よりも保護地から離れた位置において当該他の亀甲金網１３にその端部を重ねた状態で取り付けられる。これにより当該保護地から離れた位置において重ねあわされている亀甲金網１３についてはこれを巻き上げることができる（図１９〜図２４参照）。
【０１５２】
亀甲金網１３のロープ１２ｂ、１２ｃへの取り付けは、本実施形態においては取付部材としてのコイル部材３１を用いて行われる。コイル部材３１が亀甲金網１３のマス目とロープ１２ｂ、１２ｃとを縫うようにしてこれらに螺合されることで、亀甲金網１３のロープ１２ｂ、１２ｃへの取り付けが行われる。
【０１５３】
更に、隣接する亀甲金網１３同士についても、互いに重なり合うマス目の部分であってロープ１２ｂ、１２ｃ間に位置する部分が、連結部材としてのコイル部材３２により連結される。このコイル部材３２は、隣接する亀甲金網１３同士が重なり合う部分のマス目を縫うようにして螺合されることで隣接する２つの亀甲金網１３同士の隙間の無い連結を行う。
【０１５４】
このとき、コイル部材３２の上下に収縮する弾性力により亀甲金網１３のマス目を保持して、コイル部材３２の脱落が防止されている。
【０１５５】
このように隣接する亀甲金網１３同士が端部を重ねて連結されることで、長いスパンでロープ１２ｂ、１２ｃが架け渡された場合に生じるロープ１２ｂ、１２ｃのたるみに起因する亀甲金網１３間の隙間の発生を防止し、野生動物が当該隙間から保護地に進入することを効果的に防止することができる。
【０１５６】
上述したコイル部材３１、３２は、簡易な構成を備え、簡単な取付作業により亀甲金網１３とロープ１２ｂ、１２ｃ、又は亀甲金網１３同士を連結することができる。また、これらのコイル部材３１、３２は取り外し作業も容易に行うことができる。
【０１５７】
こうしてロープ１２ｂ、１２ｃに亀甲金網１３が取り付けられた状態において、亀甲金網１３の下側の部分は、地面Ｇに垂れた状態となる。
【０１５８】
こうして本実施形態に係る動物侵入抑止柵１が完成する。
【０１５９】
次に、野生動物の侵入抑止効果について説明する。まず、野生動物としてのイノシシ２’の侵入抑止効果について説明する。
【０１６０】
図３７は、本実施形態に係る動物侵入抑止柵１の対象動物の一例であるイノシシ２’を示す図である。
【０１６１】
イノシシ２’は、強い突進力を有する野生動物である。そのため、保護地の外部から動物侵入抑止柵１を通過して保護地内に進入しようとする際にも、直進して動物侵入抑止柵１に衝突してこれを通過しようとすることがある。
【０１６２】
そのため、イノシシ２’の肩高であり鼻の位置でもある高さ２ｅよりも低い位置に障害物があれば、イノシシ２’はその直進動作が妨げられることになる。このイノシシ２’の肩高２ｅは、日本国内において広く分布しているニホンイノシシの場合、成獣は６００ｍｍ〜９００ｍｍ程度の高さとなっている。
【０１６３】
そこで、本実施形態に係る動物侵入抑止柵１では、最下段に緊張して設けられているロープ１２ｃの高さＨ２が肩高６００ｍｍのイノシシの半分以下である３００ｍｍ以下となっている。このようにロープ１２ｃの高さＨ２が３００ｍｍ以下とされ、亀甲金網１３の巻き上げの有無に関わらず常に緊張した状態とされていることで、十分な反力が得られてイノシシ２’の直進動作を妨げ、イノシシ２’の保護地内への侵入を効果的に防止することができる。
【０１６４】
次に、野生動物としてのシカ２の侵入抑止効果について説明する。図３８は、本実施形態に係る動物侵入抑止柵の対象動物の一例であるシカを示す図である。図３９は、図３８のシカの頭部の各箇所の長さを示した図である。
【０１６５】
図３８及び図３９に示すように、シカ２は、肩高が２ａ、頭部の高さが２ｂ、頭部の長さが２ｃ、頭部の幅が２ｄとなっている。
【０１６６】
そして、図２及び図３に示すように、動物侵入抑止柵１は、地面Ｇからこの最上部にあるロープ１２ａまでの高さがＨ３となっているとともに、ロープ１２ａと２段目のロープ１２ｂとの間の距離がＨ４となっている。
【０１６７】
下草を食べるシカ２は、その性質上、進行方向に柵等の障害物がある場合には、柵を迂回、もしくは跨ぐか潜ろうとする。たとえ跳躍により飛び越えることが可能な高さの柵であっても、柵の先に餌があったり、後から追い立てられたりする等の跳躍を誘発する要因が無ければ、跳躍はほとんど行われない。
【０１６８】
そして、跳躍の誘発要因が無く、柵を跨いだり潜ったりすることができない場合には、シカ２は引き返すか柵に沿って移動を行う。
【０１６９】
そこで、本実施形態に係る動物侵入抑止柵１を道路や鉄道に沿って設置する場合では、ロープ１２ａは地面からの高さがシカ２の肩高２ａよりも高いＨ３となるよう設けられている。そのため、シカ２はロープ１２ａを跨ぐことができない。
【０１７０】
このように、本実施形態に係る動物侵入抑止柵１によると、シカ２がこれを跨ぎ保護地に侵入することを効果的に抑止することができる。
【０１７１】
また、この侵入抑止効果は、動物侵入抑止柵１が地面Ｇに立設されることで更に高めることができる。
【０１７２】
図４０は、実施形態に係る動物侵入抑止柵１による保護地へのシカの侵入抑止効果と保護地からの脱出の容易さを説明する図である。
【０１７３】
図４０に示すように、動物侵入抑止柵１から見て地面Ｇの下方、すなわち保護地の外側にいるシカ２は、動物侵入抑止柵１のロープ１２ａを飛び越えるにあたり、斜面の傾斜分も加味した高さＨ５を跳躍しなければならない。
【０１７４】
このＨ５は、通常シカ２が跳躍可能な高さよりも高く設定されているＨ３、すなわち、地面Ｇからロープ１２ａまでの高さよりも高くなっている。そのため、シカ２が地面Ｇの下方から動物侵入抑止柵１を飛び越え保護地に侵入することを効果的に防止することができる。
【０１７５】
このように、本実施形態に係る動物侵入抑止柵１では、動物侵入抑止柵１の高さを従来の柵よりも低く保つことができ、製造及び設置のコストと作業時の労力とを削減することができる。
【０１７６】
更に、本実施形態に係る動物侵入抑止柵１では、シカ２の潜り込みの対策として、亀甲金網１３が地面Ｇに対して十分な長さ垂れ広がるとともに、亀甲金網１３が最下段のロープ１２ｃに固定されている。
【０１７７】
シカ２は、障害物等への潜り込みを行う場合、まず、首を下げて鼻先を障害物の下に潜り込ませ、その状態で首を持ち上げることにより障害物を浮き上がらせ障害物の下に潜り込みの可能なスペースを形成する。そして、シカ２はその状態のまま体勢を低くし、このスペースに鼻先から頭部、首と順に潜り込んでいくことで障害物への潜り込みを行う。
【０１７８】
しかし、本実施形態に係る動物侵入抑止柵１では、シカ２が地面に垂れ下がる亀甲金網１３に鼻先を潜り込ませ首を持ち上げ亀甲金網１３の端部をめくり上げようとしても全てめくり上げることができない程度に十分な長さ地面Ｇに垂れ広がるよう構成されている。
【０１７９】
具体的には、亀甲金網１３は、シカ２がその鼻先を潜り込ませたときにめくり上がる長さ、すなわち、シカ２の頭部の高さ２ｂと頭部の長さ２ｃとの和よりも十分に長く地面Ｇに垂れ広がるよう構成されている。
【０１８０】
そのため、シカ２は、亀甲金網１３の下に鼻先を潜り込ませた場合でも、全てをめくり上げることができず、更に頭部や首を潜り込ませようとはしない。
【０１８１】
更に、上述したように亀甲金網１３は地面Ｇに近い位置においてロープ１２ｃに固定されている。そのため、もしシカ２が地面Ｇに垂れ広がる亀甲金網１３の下方に潜り込んだとしても、そこから更に保護地に進入することはできず、シカ２の潜り込みをより効果的に抑止できる。
【０１８２】
このように、本実施形態における動物侵入抑止柵１では、シカ２の潜り込みも効果的に防止し、保護地への侵入を抑止することができる。
【０１８３】
次に、シカ２の保護地からの脱出を促進する効果について説明する。
【０１８４】
上述したように、シカ２は、跳躍により飛び越えることが可能な高さの柵であっても、柵の先に餌があったり、後から追い立てられたりする等の跳躍を誘発する要因が無ければ、跳躍はほとんど行わない。
【０１８５】
そして、鉄道や道路等に設けられた横断区間等による動物侵入抑止柵１の切れ目から保護地側に侵入してしまったシカなどの野生動物が、車両等の接近により驚き、跳躍してこれを乗り越えようとする。
【０１８６】
このとき、シカ２の跳躍可能高さは肩高２ａの３倍程度までであるが、容易に超えられる高さは肩高２ａの２倍程度までである。そのため、本実施形態に係る動物侵入抑止柵１では、地面から最上部のロープ１２ａまでの高さＨ３は、シカ２の肩高２ａの２倍以下となるように設定されている。
【０１８７】
これにより、シカ２は、車両の接近時等には動物侵入抑止柵１を容易に飛び越え、保護地から脱出することができる。
【０１８８】
また、図４０に示すように、動物侵入抑止柵１から見て地面Ｇの上方、すなわち保護地に侵入した状態にあるシカ２が動物侵入抑止柵１のロープ１２ａを飛び越えるにあたり、跳躍すべき高さはＨ６となっている。
【０１８９】
この高さＨ６は、シカ２が容易に跳躍可能な高さであるＨ３よりも更に低いものとなっている。そのため、シカ２が動物侵入抑止柵１を飛び越え、保護地から脱出することが更に容易となっている。
【０１９０】
また、シカ２が動物侵入抑止柵１を飛び越える際には、動物侵入抑止柵１の向こう側を見渡せる視認性のあることが重要となる。シカ２は、跳躍方向の視認性が良く、着地点を視認できる場合には跳躍を行い易いことが知られている。
【０１９１】
ヒトをはじめとする、ある程度知能を有する動物であれば、向こう側が見えない状態で障害物を跳躍して越えることは、恐怖がともなうので跳躍を自制する。
【０１９２】
そのため、本実施形態に係る動物侵入抑止柵１では、上部にロープ１２ａ、１２ｂを掛け渡した構成とすることで、動物侵入抑止柵１の上部に視認性の高い空間を確保し、シカ２が跳躍を行い易い状況を実現している。
【０１９３】
なお、この視認性は、シカ２の頭部のサイズに依存している。具体的には、シカ２の頭部は図３９に示す正面視で、縦の長さが２ｂ、横幅が２ｄとなっていて、シカ２はこうした頭部の縦横のサイズを基準として、この縦横のサイズよりも大きな空間がある場合に柵の向こう側を認識して、柵の向こう側への跳躍を意識するようになる。
【０１９４】
そのため、ロープ１２ａ−１２ｂ間の距離Ｈ４が、シカ２の頭部の縦の長さ２ｂよりも長くなるように確保されている。また、支柱１１間の距離も、シカ２の頭部の横幅２ｄよりも十分に広くなっている。
【０１９５】
こうして動物侵入抑止柵１の上部において、シカ２の頭部のサイズよりも広い空間を確保することができ、シカ２が柵の向こう側を認識し易くすることで、シカ２が保護地から脱出する際の動物侵入抑止柵１の跳躍を行い易くすることができる。
【０１９６】
具体的には、シカ２がホンシュウジカである場合には、頭部の縦の長さ２ｂと横幅２ｄがともに２０ｃｍ程度であるため、動物侵入抑止柵１のＨ４が２０ｃｍ以上、支柱１１間の距離が２０ｃｍ以上であれば、すなわち、動物侵入抑止柵１の上部に２０ｃｍ四方以上の空間を確保することができれば、シカ２は跳躍を行い易くなる。
【０１９７】
更に、本実施形態に係る動物侵入抑止柵１には、シカ２の脱出時に跳躍した野生動物が動物侵入抑止柵１に衝突し、これが損傷した場合でも、保護地側に破損した構成部品が侵入することを効果的に防止するという効果もある。
【０１９８】
シカ２が保護地側から跳躍して動物侵入抑止柵１に衝突し動物侵入抑止柵１が折れ曲がる場合、この折れ曲がりの方向は保護地の外側に向かうものであるため、保護地内に動物侵入抑止柵１が折れ曲がり、車両等の通行に支障をきたすことはない。
【０１９９】
また、シカ２の衝突により動物侵入抑止柵１が破損し構成部品が脱落することがある。しかし、本実施形態に係る動物侵入抑止柵１では、各構成部品の脱落方向が保護地の外側（＋Ｘ方向）に限られるため、保護地側（−Ｘ方向）に脱落した部品が侵入し、車両等の通行の妨げになることがない。
【０２００】
具体的には、動物侵入抑止柵１の支柱本体１１１は、基礎杭１１２により地面Ｇに固定されているため、シカ２が保護地の外側に跳躍し衝突した場合には、この跳躍方向、すなわち保護地の外側に向けて湾曲し、保護地側に湾曲することはない。
【０２０１】
また、支柱カバー１１３は、支柱本体１１１にボルト締結されているため、支柱本体１１１とともに保護地の外側に湾曲するか、あるいはボルト締結箇所の破損が生じ脱落する場合でも、シカ２の跳躍方向に向けて脱落するのみである。
【０２０２】
また、支柱１１間に掛け渡されているロープ１２ａ、１２ｂ、１２ｃは２本以上の支柱１１にまたがって架け渡されているため、野生動物の衝突により湾曲したり切断したりする場合にも、支柱１１が障害となるため、保護地側に湾曲、屈曲することがない。
【０２０３】
上述した本実施形態に係る動物侵入抑止柵１の設置方法によると、使用部材及び使用治具は何れも人力で搬送、使用、設置が可能であり、かつ現場において寸法調整等の加工をする必要のないものである。
【０２０４】
また、作業者が複数の個所に分散して作業を行う必要がなく、始点基礎６１側から作業者が一方向に移動しながら設置作業を行うことができる。
【０２０５】
なお、上述した実施形態においては、支柱１１間に３本のロープ１２ａ、１２ｂ、１２ｃが掛け渡されていたが、本発明においてはこれに限らず、ロープの数を野生動物の種類や動物侵入抑止柵１の設置状況に応じて適宜調整することができる。
【０２０６】
また、支柱１１間にロープを掛け渡すことで侵入抑止効果を発揮していたが、本発明においてはこれに限らず、野生動物の侵入抑止効果と跳躍時の視認性を確保できる材料であれば樹脂被覆の繊維ロープでなくともよく、板状部材や鋼線等のワイヤも好適に用いることができる。また、これらの材質についても、鋼材の他、樹脂や木材、天然繊維等を好適に用いることができる。
【０２０７】
また、野生動物の潜り込みを防止する亀甲金網１３についても、潜り込み防止効果を奏するとともに巻き上げが可能なものであれば好適に用いることができ、シートや繊維よりなるネット等も用いることができる。また、これらの材質についても、鋼材の他、樹脂や天然繊維等を好適に用いることができる。
【０２０８】
また、隣接する２つの支柱１１間に取り付けられる亀甲金網１３の幅や枚数は上述した実施形態に限られることなく、任意の枚数に調節することができる。
【０２０９】
支柱１１間に取り付けられる亀甲金網１３の幅が如何なるものになったとしても、上述した実施形態と同様に亀甲金網１３同士はその端部を重ねて配置されるとともに、少なくとも１枚の亀甲金網１３は他の亀甲金網１３よりも保護地の外側に設けられ、保護地の外側に巻き上げることのできる状態とする必要がある。
【０２１０】
また、支柱１１間に取り付けられる亀甲金網１３は何れの枚数であったとしても、１枚の亀甲金網１３を高さＨ１まで巻き上げた場合に作業者が通行できる幅を有する必要がある。
【０２１１】
また、隣接する支柱１１間に複数の亀甲金網１３を取り付ける場合、全ての亀甲金網１３が同一の幅を有する必要はなく、それぞれ異なる幅を有していてもよい。
【０２１２】
この場合にも、複数の亀甲金網１３はそれぞれ端部を重ねて取り付けられるとともに、少なくとも１枚の亀甲金網１３は他の亀甲金網１３よりも保護地の外側に設けられ、高さＨ１まで巻き上げることが可能である必要がある。
【０２１３】
また、当該巻き上げ可能な亀甲金網１３の幅は、これを巻き上げたときに作業者が通行できる幅を有する必要がある。
【０２１４】
また、上述した実施形態においては隣接する亀甲金網１３間の端部の重ね合わせは１マス分を重ね合わせることで行われていたが、本発明においてはこれに限らず、２マス以上を重ね合わせて行われてもよい。
【０２１５】
また、上述した実施形態においては亀甲金網１３のロープ１２ｂ、１２ｃへの取付、及び亀甲金網１３同士の接続にそれぞれコイル部材３１、３２を用いていたが、本発明においてはこれに限らず、クリップやカラビナ等、任意の取付部材を用いて取り付けることができる。
【０２１６】
また、上述した実施形態においては複数の支柱１１は同一の間隔をあけて立設されていたが、本発明においてはこれに限らず、支柱１１間の間隔がそれぞれ異なるように立設されてもよい。この場合、支柱１１間に取り付けられる亀甲金網１３の枚数を適宜調節してもよい。
【０２１７】
また、隣接する２つの支柱１１間の全てにおいて保護地の外側に巻き上げ可能な亀甲金網１３を設ける必要はなく、任意の支柱１１間に設ける態様としてもよい。
【０２１８】
上述した何れの変形例に係る動物侵入抑止柵１によっても、野生動物の侵入抑止効果を維持しつつ、除草作業時に容易に作業スペースを確保し網の損傷を効果的に防止するとともに、任意の個所において作業者の通用スペースも容易に確保することができる。
【符号の説明】
【０２１９】
１  動物侵入抑止柵
２  シカ
２’  イノシシ
５  ターンバックル
７  係止部材
８  終点基礎
１１  支柱
１２ａ、１２ｂ、１２ｃ  ロープ
１３  亀甲金網
３１、３２  コイル部材
６１  始点基礎
６１’  第２始点基礎
１１１  支柱本体
１１２  基礎杭
１１３  支柱カバー
１１１ａ  水平切欠部
１１１ｂ  鉛直切欠部
１１１ｃ  孔部
１１１ｄ  孔部
１１１ｅ  ウェブ
１１１ｆ  フランジ
１１１ｇ  底部
１１３ａ  切欠部
１１３ｃ  孔部
１１３ｅ  ウェブ
１１３ｆ  フランジ
６１１  シャックル
Ｇ  斜面
【図１】
0006532727.tif 000002
【図２】
0006532727.tif 000003
【図３】
0006532727.tif 000004
【図４】
0006532727.tif 000005
【図５】
0006532727.tif 000006
【図６】
0006532727.tif 000007
【図７】
0006532727.tif 000008
【図８】
0006532727.tif 000009
【図９】
0006532727.tif 000010
【図１０】
0006532727.tif 000011
【図１１】
0006532727.tif 000012
【図１２】
0006532727.tif 000013
【図１３】
0006532727.tif 000014
【図１４】
0006532727.tif 000015
【図１５】
0006532727.tif 000016
【図１６】
0006532727.tif 000017
【図１７】
0006532727.tif 000018
【図１８】
0006532727.tif 000019
【図１９】
0006532727.tif 000020
【図２０】
0006532727.tif 000021
【図２１】
0006532727.tif 000022
【図２２】
0006532727.tif 000023
【図２３】
0006532727.tif 000024
【図２４】
0006532727.tif 000025
【図２５】
0006532727.tif 000026
【図２６】
0006532727.tif 000027
【図２７】
0006532727.tif 000028
【図２８】
0006532727.tif 000029
【図２９】
0006532727.tif 000030
【図３０】
0006532727.tif 000031
【図３１】
0006532727.tif 000032
【図３２】
0006532727.tif 000033
【図３３】
0006532727.tif 000034
【図３４】
0006532727.tif 000035
【図３５】
0006532727.tif 000036
【図３６】
0006532727.tif 000037
【図３７】
0006532727.tif 000038
【図３８】
0006532727.tif 000039
【図３９】
0006532727.tif 000040
【図４０】
0006532727.tif 000041